(57)【要約】 【課題】複数商品で共用されている部材の設計変更に伴う処理を状況に応じて適切に行うことができるものとする。【解決手段】アセンブリを構成するサブアセンブリ及びまたはサブアセンブリを構成する複数のパーツである部材についての設計データを、アセンブリの構成のツリー構造とともに管理するものにおいて、複数のアセンブリで共用する部材について重複があることを示すフラグを付与する重複フラグ付与手段と、上記ツリー構造において重複フラグが付与された部材とその１階層上の部材との間にダミーアセンブリ情報を追加するダミーアセンブリ情報付加手段とを備える。重複フラグが付与された部材に対する設計変更を反映させるか否かについての情報を上記ダミーアセンブリ情報が備える。【選択図】図１
2011008551.tif 000002
【特許請求の範囲】
【請求項１】
アセンブリを構成するサブアセンブリ及びまたはサブアセンブリを構成する複数のパーツである部材についての設計データを、アセンブリの構成のツリー構造とともに管理する商品設計データ管理装置において、複数のアセンブリで共用する部材について重複があることを示すフラグを付与する重複フラグ付与手段と、上記ツリー構造において重複フラグが付与された部材とその１階層上の部材との間にダミーアセンブリ情報を追加するダミーアセンブリ情報付加手段とを備えるとともに、重複フラグが付与された部材に対する設計変更を反映させるか否かについての情報を上記ダミーアセンブリ情報に持たせていることを特徴とする商品設計データ管理装置。
【請求項２】
上記ダミーアセンブリ情報付加手段は、上記アセンブリの在庫情報とクレーム情報と注文情報の少なくとも一つに応じて設計変更を反映させるか否かを判断してダミーアセンブリ情報を決定していることを特徴とする請求項１記載の商品設計データ管理装置。
【請求項３】
上記ダミーアセンブリ情報付加手段は、対話的入出力手段を通じたオペレータからの設計変更を反映させるか否かの指示に基づいてダミーアセンブリ情報を決定していることを特徴とする請求項１記載の商品設計データ管理装置。
【発明の詳細な説明】
【技術分野】
【０００１】
本発明は、商品の設計データの管理装置に関するものである。
【背景技術】
【０００２】
商品（アセンブリ）は複数のサブアセンブリ及びパーツで構成され、サブアセンブリは更に複数のパーツで構成されているのが通常である。また、複数種の商品を展開するにあたり、各商品に共通するパーツを使用することも一般的になされている。
【０００３】
一方、商品の設計データ（たとえば３Ｄ−ＣＡＤデータ）の管理には、特許文献１などにも示されているように、商品（アセンブリ）を構成する部材（サブアセンブリ及びパーツ）をそのツリー構造とともに管理することができるＰＤＭ（プロダクト・データ・マネージメント）と呼ばれるものが一般的に利用されている。
【０００４】
このように管理しているものにおいて、前述の複数商品で使用される部材（パーツあるいはサブアセンブリ）については、重複があることを意味する属性を例えばフラグによって付加して、複数の商品に用いられていることがわかるようにすることが行われている。
【０００５】
一例を図３に示す。アセンブリ（商品）Ａ１はサブアセンブリＡ１１，Ａ１２とパーツＰ１１０で構成され、サブアセンブリＡ１１はパーツＰ１１１，Ｐ１１２で、サブアセンブリＡ１２はパーツＰ１２１，Ｐ１２２，Ｐ１２３で構成されており、アセンブリ（商品）Ａ２はサブアセンブリＡ２１，Ａ２２とパーツＰ２１０，Ｐ２２０で構成され、サブアセンブリＡ２１はパーツＰ１１１，Ｐ２１２で、サブアセンブリＡ２２はパーツＰ２２１，Ｐ２２２，Ｐ２２３で構成されており、本例においては、両アセンブリＡ１，Ａ２でパーツＰ１１１が共に使用されている。
【０００６】
そして、サブアセンブリ及びパーツには夫々数量と重複フラグとが属性として付与されており、数量が１で重複フラグがオンとなっているパーツＰ１１１は、（１，１）の属性を、数量が１で重複フラグがオフとなっているパーツＰ１１２は、（１，０）の属性を有するものとしてある。
【０００７】
このように複数の商品（アセンブリ）において、ある部材が共用されていることをその部材の属性情報として与えておくことにより、その部材に設計変更を行う場合、該当設計変更が影響するものを容易に抽出することができる。
【０００８】
ところで共用されている部材（パーツまたはサブアセンブリ）について設計変更を行った場合、その部材を使用している全アセンブリについて上記変更を直ちに反映させるのではなく、在庫調整などの関係で、一部のアセンブリでは旧構成のままの部材を維持する場合がある。
【０００９】
しかし、上記のような管理では、設計変更後のものと設計変更前のものとを区別して管理することができないために、設計変更が加えられたとはいえ本来的には同じ部材として扱いたいものについて、別の部材として管理する必要が生じる。また、旧構成の部材の生産を終息させて設計変更後のものに統一する時には、いったん別の部材としたものを再度同じ部材とする処理を行わなければならず、多くの手間が必要となる。
【先行技術文献】
【特許文献】
【００１０】
【特許文献１】特開２００７−２８６７７８号公報
【発明の概要】
【発明が解決しようとする課題】
【００１１】
本発明はこのような点に鑑みなされたものであって、複数商品で共用されている部材の設計変更に伴う処理を状況に応じて適切に行うことができる商品設計データの管理装置を提供することを課題とするものである。
【課題を解決するための手段】
【００１２】
本発明は、アセンブリを構成するサブアセンブリ及びまたはサブアセンブリを構成する複数のパーツである部材についての設計データを、アセンブリの構成のツリー構造とともに管理する商品設計データ管理装置において、複数のアセンブリで共用する部材について重複があることを示すフラグを付与する重複フラグ付与手段と、上記ツリー構造において重複フラグが付与された部材とその１階層上の部材との間にダミーアセンブリ情報を追加するダミーアセンブリ情報付加手段とを備えるとともに、重複フラグが付与された部材に対する設計変更を反映させるか否かについての情報を上記ダミーアセンブリ情報に持たせていることに特徴を有している。
【００１３】
上記ダミーアセンブリ情報付加手段は、上記アセンブリの在庫情報とクレーム情報と注文情報の少なくとも一つに応じて設計変更を反映させるか否かを判断してダミーアセンブリ情報を決定しているものであることが望ましいが、対話的入出力手段を通じたオペレータからの設計変更を反映させるか否かの指示に基づいてダミーアセンブリ情報を決定しているものであってもよい。
【発明の効果】
【００１４】
本発明においては、重複フラグの存在によって複数アセンブリにおける共用部材の一覧を迅速に把握することができるものであり、しかもダミーアセンブリー情報の存在によって、設計変更前の部材と設計変更後の部材とを同一の部材として扱いつつ、設計変更を反映させるものと反映させないものとを区別することができるために、設計変更に伴う作業を軽減することができるものであり、終息タイミングが異なる部材についても変更作業に要する作業を軽減することができる。
【図面の簡単な説明】
【００１５】
【図１】本発明の実施の形態の一例における動作を示すフローチャートである。
【図２】同上のブロック回路図である。
【図３】重複フラグを付与したツリー構造についての説明図である。
【図４】ダミーアセンブリ情報を追加したツリー構造についての説明図である。
【図５】設計変更への対応が異なるダミーアセンブリ情報を追加したツリー構造についての説明図である。
【発明を実施するための形態】
【００１６】
本発明を実施の形態の一例に基づいて詳述すると、図２に本発明に係る商品設計データの管理装置の構成例を示す。図中１は本発明に係る管理装置における制御部であって、構成展開部１１、重複判別部１２、ダミーアセンブリ付与部１３、ダミーアセンブリ判別処理部１４を備えており、該制御部１には３Ｄ−ＣＡＤデータとしての設計データを納めたデータベース２と、各商品における部品構成をツリー構造で格納するとともに上記データベース２に納めた設計データに関連づけて管理するＰＤＭ（プロダクト・データ・マネージメント）３とがインターフェース１６を介して接続されているとともに、入出力機器４がインターフェース１７を介して接続されている。
【００１７】
上記制御部１は、商品（アセンブリ）を構成する部品（サブアセンブリ・パーツ）が上位階層部材（アセンブリ・サブアセンブリ）の情報と数量と共に入出力機器４から登録される際に、複数のアセンブリで共用することになるパーツ（もしくはサブアセンブリ）があるかどうかのチェックを行い、共用がある場合には、そのパーツ（もしくはサブアセンブリ）に対し、重複フラグを付与する。
【００１８】
すなわち、既に登録されているものと同名のサブアセンブリやパーツが再度登録された際，そのサブアセンブリやパーツと、既に登録されているアセンブリにおける該当サブアセンブリやパーツに対し、重複フラグを付与する。図３に示すものでは前述のように数量と重複フラグとを属性として付与している。
【００１９】
このように重複フラグが付与されたならば、制御部１における構成展開部１１は、付与された重複フラグを基に構成情報を活用して逆展開を実施し、重複フラグが付与されている部材と、該部材の１階層上の部材との間に、ダミーであることを示すダミーフラグを付与したダミーアセンブリ情報を追加する。図４は重複フラグが付与されているパーツＰ１１と、その１階層上の部材であるサブアセンブリＡ１１，Ａ２１との間に夫々ダミーアセンブリ情報ＤＡ１１を追加した状態を示している。なお、このダミーアセンブリ情報も、数量と重複フラグとを属性として備えたものとしてある。
【００２０】
上記の例では、複数アセンブリＡ１１，Ａ１２でツリー構造上で最下位に位置するパーツＰ１１１が共用されている場合を示したが、サブアセンブリレベルで共用されている場合は、ダミーアセンブリ情報はツリー構造において該当するサブアセンブリの上位に挿入する。
【００２１】
この時、上記ダミーアセンブリ情報は、その下位に位置する部材が同じであれば基本的に同じ名前のものとするが、下位に位置する部材（ここではパーツＰ１１）に設計変更があった時に直ちに反映させるか否かに応じて、異なる名前のものとして付与する。図５は異なる名前のダミーアセンブリ情報ＤＡ１１，ＤＡ２１とした場合を示している。
【００２２】
ダミーアセンブリ情報に上記設計変更の影響を反映させることは、前記ダミーアセンブリ判別処理部１４において次のような処理にて行う。例えばパーツＰ１１１を共用するアセンブリＡ１，Ａ２の各在庫数を在庫情報から求めて、在庫数が予め設定した規定値以上である場合は、設計変更を直ちに反映させずに旧構成のままとし、在庫数が規定値未満である場合は設計変更を直ちに反映させるものとする。
【００２３】
今、アセンブリＡ１の在庫数が５０、アセンブリＡ２の在庫数が３００、在庫規定値が１５０であるならば、アセンブリＡ１にはダミーアセンブリ情報ＤＡ１１を、アセンブリＡ２にはダミーアセンブリ情報ＤＡ２１を付与して、同じパーツＡ１１１を使うものの、両アセンブリＡ１，Ａ２において設計変更を反映させたものと旧構成のものとのどちらを用いるのかをダミーアセンブリ情報ＤＡ１１，ＤＡ２１において区別するのである。
【００２４】
在庫数によるのではなく、クレーム（苦情）のレベル情報によって区別したり、注文情報に応じて自動的に区別させてもよい。たとえば、クレームのレベルが高いアセンブリにおけるパーツについては設計変更を直ちに適用し、クレームレベルが低いアセンブリにおけるパーツについては旧構成のものを用いるものとしたり、注文情報が多いアセンブリにおけるパーツについては設計変更を直ちに適用し、注文情報が少ないアセンブリにおけるパーツについては旧構成のものを用いるものとするのである。これら在庫数とクレームレベルと注文情報を組み合わせて判定するようにしてもよい。
【００２５】
なお、ダミーアセンブリ情報に対する上記処理は、１階層上の部材の上位にもダミーアセンブリ情報が付与されている場合はパスし、１階層上の部材の上位に付与されたダミーアセンブリ情報に対して上記処理を行うものとする。
【００２６】
重複フラグに応じて自動的に付加されるダミーアセンブリ情報を同じ名称のものとするか、異なる名称のものとするかを在庫情報やクレームレベル情報、あるいは注文情報に応じてダミーアセンブリ判別処理部１４が自動的に行う場合の例を示したが、ダミーアセンブリを自動付与しないことも含めて、オペレータとの対話的処理によって行ってもよい。この場合、ダミーアセンブリ情報が追加される全アセンブリについての上記在庫情報なども含めて入出力機器４に提示し、オペレータの判断の基に同じパーツ（もしくはサブアセンブリ）を用いるアセンブリに追加したダミーアセンブリ情報の名称を決定する。
【００２７】
また、ダミーアセンブリ情報が本来の部品ではなくダミーであることを属性によって示すものを示したが、予めダミーであることを示す名称や番号を付与するものであってもよいのはもちろんである。
【符号の説明】
【００２８】
１  制御部
２  データベース
３  ＰＤＭ（プロダクト・データ・マネージメント）
【図１】
2011008551.tif 000003
【図２】
2011008551.tif 000004
【図３】
2011008551.tif 000005
【図４】
2011008551.tif 000006
【図５】
2011008551.tif 000007